(57)【特許請求の範囲】
【請求項１】
一対の戸板を互いに水平回動自在に連結してなる折戸の閉じ際における戸板相互の急激な回動を制動するべく折戸の背面に取り付けられる緩衝装置であって、
前記一対の戸板のうち一方の戸板の他方の戸板との連結端部に埋設して取り付けられる第１取付部材と、
前記一対の戸板のうち他方の戸板の一方の戸板との連結端部に埋設して取り付けられる第２取付部材と、
両取付部材を互いに回動自在に連結しているヒンジ部と、
両取付部材相互の回動を制動するべく一方の取付部材に設けられた制動機構と、を備え、
前記制動機構は、
使用時に水平方向に圧縮され反発するダンパと、
ダンパに装着された当接部材と、を備え、
前記第１取付部材および前記第２取付部材は互いに同一形状且つ同一寸法で同一材料からなる共通部材を各々備え、当該共通部材は戸板に締着される部材であり、
前記第１取付部材は、その共通部材に嵌合して一体的に固定される第１ベース部材を備え、
前記第２取付部材は、その共通部材に嵌合して一体的に固定される第２ベース部材を備え、
前記第１及び第２のベース部材は、前記共通部材に嵌合するように形成された切欠部と、前記共通部材と嵌合した場合に、前記共通部材に形成され、戸板との連結端部に埋設される手前に開いた断面コ字形の金具本体の端縁に係合して前記共通部材からの離脱を防止する係止部と、を備え、
一方のベース部材は、前記当接部材を進退移動可能に案内しつつ前記ダンパを保持しているダンパ保持部を備え、
前記当接部材は、
前記ダンパが伸縮することにより進退移動し且つその先端部が他方のベース部材に当接する部材であり、
当該当接部材が折戸の閉じ際における両取付部材相互の回動に伴って当該他方のベース部材に押圧されることにより前記ダンパが圧縮されるように構成されている緩衝装置。
【請求項２】
前記他方のベース部材には、
両取付部材相互を折戸を開く側に回動させて折り畳んだときに前記ダンパ保持部の前記一方の取付部材の共通部材から突出している部分を受け入れる凹部が形成されている請求項１の緩衝装置。
【発明の詳細な説明】
【技術分野】
【０００１】
本発明は、シンクキャビネットや吊り戸棚等の建具或いは食器棚、書棚等の家具などに装備される折戸の緩衝装置に関し、より詳細には、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を制動することが有効である。
【０００４】
従来、戸板の閉め際における急激な回動を制動する技術として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）が完全に閉まる寸前に戸板（扉）の木口面がピストンに当接し、復元ばねの反発力に抗してピストンが押されることにより、復元ばねの反発力をピストンを介して戸板（扉）に作用させる。（特許文献１）
【０００５】
しかし、戸枠（框）に埋設されているダンパ装置のピストンに戸板（扉）の木口面を当接させることにより戸板（扉）の閉め際における急激な回動を制動するようにしているため、戸板（扉）の極閉め際すなわち戸板（扉）が完全に閉じられる寸前にならなければ、ダンパによる制動力を戸板（扉）に作用させることができない。ダンパによる制動力が働くタイミングをより早めるためには、戸枠（框）の内側側面からのピストンの突出長を大きくし、ストロークも大きくする必要がある。これはより長寸のダンパが必要になることを意味し、それに合わせてダンパを埋設するための取付孔もより大きくする必要が生じる。
【０００６】
そこで、本出願人は、図１３に示す緩衝装置を開発した。この緩衝装置１００は、折戸の閉じ際における戸板１１、１２相互の急激な回動を制動するべく折戸の背面に取り付けられるものであり、一方の戸板１１の取付穴１１ａに嵌付けて螺子で固定される第１の取付金具１０１と、他方の戸板１２の取付穴１２ａに嵌付けて螺子で固定される第２の取付金具１０２と、両取付金具１０１、１０２を互いに回動自在に連結しているヒンジ部１０３と、両取付金具１０１、１０２相互の回動を制動するべく一方の取付金具１０１、１０２に設けられた制動機構部１０４と、を備えている。制動機構部１０４は、水平方向に圧縮され反発するダンパ（図７参照）と、ダンパに装着された当接部材１０５と、を備え、当接部材１０５が折戸の閉じ際における両取付金具１０１、１０２相互の回動に伴って一方の取付金具１０１に押圧されることによりダンパが圧縮されるように構成されている。この緩衝装置１００によれば、折戸の閉じ際における制動力の働く時間及びタイミングを、使用するダンパを長寸化することなく適切に設定することができる。
【特許文献１】実開昭５３−１６６６１号（実公昭５７−１１１１２号）公報
【発明の開示】
【発明が解決しようとする課題】
【０００７】
図１３の緩衝装置が備えている第１の取付金具１０１と第２の取付金具１０２は構造が互いに異なっているため、この緩衝装置１００を製造するためには、構造が互いに異なる二種類の取付金具１０１、１０２を用意する必要があり、同一構造の取付金具をできる場合と比較して緩衝装置の製造コスト、部品管理効率等の面で不利である。
【０００８】
本発明が解決しようとする課題は、折戸の閉じ際における制動力の働く時間及びタイミングを適切に設定できる緩衝装置を、使用するダンパを長寸化することなく且つ使用する部品の種類の数を削減しつつ実現することにある。
【課題を解決するための手段】
【０００９】
上記課題を解決するために、本発明の緩衝装置は、一対の戸板を互いに水平回動自在に連結してなる折戸の閉じ際における戸板相互の急激な回動を制動するべく折戸の背面に取り付けられる緩衝装置であって、前記一対の戸板のうち一方の戸板の他方の戸板との連結端部に埋設して取り付けられる第1取付部材と、前記一対の戸板のうち他方の戸板の一方の戸板との連結端部に埋設して取り付けられる第２取付部材と、両取付部材を互いに回動自在に連結しているヒンジ部と、両取付部材相互の回動を制動するべく一方の取付部材に設けられた制動機構と、を備え、前記制動機構は、使用時に水平方向に圧縮され反発するダンパと、ダンパに装着された当接部材と、を備え、前記第1取付部材および前記第２取付部材は互いに同一形状且つ同一寸法で同一材料からなる共通部材を各々備え、当該共通部材は戸板に締着される部材であり、前記第1取付部材は、その共通部材に嵌合して一体的に固定される第１ベース部材を備え、前記第２取付部材は、その共通部材に嵌合して一体的に固定される第２ベース部材を備え、前記第１及び第２のベース部材は、前記共通部材に嵌合するように形成された切欠部と、前記共通部材と嵌合した場合に、前記共通部材に形成され、戸板との連結端部に埋設される手前に開いた断面コ字形の金具本体の端縁に係合して前記共通部材からの離脱を防止する係止部と、を備え、一方のベース部材は、前記当接部材を進退移動可能に案内しつつ前記ダンパを保持しているダンパ保持部を備え、前記当接部材は、前記ダンパが伸縮することにより進退移動し且つその先端部が他方のベース部材に当接する部材であり、当該当接部材が折戸の閉じ際における両取付部材相互の回動に伴って当該他方のベース部材に押圧されることにより前記ダンパが圧縮されるように構成されている。
【００１０】
本発明の緩衝装置において、前記他方のベース部材には、両取付部材相互を折戸を開く側に回動させて折り畳んだときに前記ダンパ保持部の前記一方の取付部材の共通部材から突出している部分を受け入れる凹部が形成されていることが望ましい。
【発明の効果】
【００１１】
本発明によれば、折戸の閉じ際における制動力の働く時間及びタイミングを、使用するダンパを長寸化することなく適切に設定できる緩衝装置を提供することができる。この緩衝装置は、両取付部材の取付金具として、互いに同一形状且つ同一寸法で同一材料からなる共通部材を使用するので、形状、寸法、材料のいずれかが異なる取付部材を使用する場合と比較して、使用する部品の種類の数を削減することができる。
【発明を実施するための最良の形態】
【００１２】
以下、本発明の実施形態について図面を参照して説明する。
【００１３】
図１は本発明に係る折戸装置の背面図である。図２、図３、図４は本発明の緩衝装置の全体斜視図である。図５（ａ）〜（ｅ）はそれぞれ本発明の緩衝装置の正面図、左側面図、右側面図、平面図、下面図である。図６は本発明の緩衝装置の背面図、図７は図５（ａ）中のＡ−Ａ線に沿って切断した断面を示す概略断面図である。図８は本発明の緩衝装置の分解斜視図、図９は本発明の緩衝装置の分解平面図である。図１０は本発明の緩衝装置とこれを取り付けるべく戸板に形成された取付穴とを示した斜視図である。
【００１４】
折戸装置１は、左右一対の戸板１１、１２を蝶番２１、２２、２３により水平方向に互いに回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた矩形状の戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。緩衝装置６０は、図１の例では、三つの蝶番２１、２２、２３のうち最も高い位置に設けられた蝶番２１と折戸１０の上端縁との中間位置に設けられている。
【００１５】
緩衝装置６０は、一対の戸板１１、１２のうち一方の戸板１１の他方の戸板１２との連結端部に取り付けられる第１取付部材６１と、他方の戸板１２の一方の戸板１１との連結端部に取り付けられる第２取付部材６２と、両取付部材６１、６２を互いに回動自在に連結するヒンジ部６３と、取付部材６１、６２相互の回動を制動するべく第２取付部材６２に設けられた制動機構７０と、を備えている。
【００１６】
第１取付部材６１および第２取付部材６２は互いに同一形状且つ同一寸法で同一金属材料からなる取付金具（共通部材）８０を各々備えている。取付金具８０は戸板１１、１２に螺子（図示省略）で締着される金属板加工品である。取付金具８０は、各戸板１１、１２に形成された取付穴１１ａ、１２ａ内に収められる手前に開いた断面コ字形の金具本体８１ａと、部材本体８１ａの開放端縁部から上下方向に耳状に張り出したフランジ部８１ｂ、８１ｃと、上下一対の軸受部８１ｅ、８１ｆからなる。各フランジ部８１ｂ、８１ｃにはそれぞれ螺子孔８１ｄが形成されている。
【００１７】
第1取付部材６１は、その取付金具８０に嵌合して一体的に固定される樹脂製の第１ベース部材９１を備えている。第１ベース部材９１は、戸板１１の取付穴１１ａに嵌め付けられる略円形状の部材である。第１ベース部材９１には、取付金具８０と嵌合するように形成された切欠部９１ａと、取付金具８０と完全に嵌合したときに金具本体８１ａの端縁に係合して取付金具８０からの離脱を防止する係止爪部９１ｂとが形成されている。
【００１８】
第２取付部材６２は、その取付金具８０に嵌合して一体的に固定される樹脂製の第２ベース部材９２を備えている。第２ベース部材９２は、戸板１２の取付穴１２ａに嵌め付けられる略円形状の部材である。第２ベース部材９２には、取付金具８０と嵌合するように形成された切欠部９２ａと、取付金具８０と完全に嵌合したときに金具本体８１ａの端縁に係合して取付金具８０からの離脱を防止する係止爪部９２ｂとが形成されている。
【００１９】
第1取付部材６１は、第１ベース部材９１を戸板１１の取付穴１１ａに嵌合させた状態でその取付金具８０の各螺子孔８１ｄに螺子を通して締め付けることにより、戸板１１に固定されている。第２取付部材６２は、第２ベース部材９２を戸板１２の取付穴１２ａに嵌合させた状態でその取付金具８０の各螺子孔８１ｄに螺子を通して締め付けることにより、戸板１２に固定されている。
【００２０】
ヒンジ部６３は、第１取付部材６１側の取付金具８０に形成された上下一対の軸受部８１ｅ、８１ｆと、第２取付部材６２側の取付金具８０に形成された上下一対の軸受部８１ｅ、８１ｆとを、軸孔が連通するように互い違いに重ね合わせた状態で両取付金具８０の上側の軸受部８１ｅ、８１ｆ同士、下側の軸受部８１ｆ、８１ｅ同士を、それぞれヒンジ軸６３ａ、６３ｂで連結することにより、両取付部材６１、６２を互いに回動自在に連結している。
【００２１】
この例では、第１ベース部材９１および第２ベース部材９２にもそれぞれ上下一対の軸受部９１ｃ、９１ｄ及び９２ｃ、９２ｄが形成されている。そして、これらの軸受部９１ｃ、９１ｄ及び９２ｃ、９２ｄも、取付金具８０の軸受部８１ｅ、８１ｆとともにヒンジ軸６３ａ、６３ｂで連結されている。この例では、第１ベース部材９１の両軸受部９１ｃ、９１ｄは、取付金具８０の軸受部８１ｅ、８１ｆの外側に重なるように両者の間隔が選定されている。また、第２ベース部材９２の両軸受部９２ｃ、９２ｄは、取付金具８０の軸受部８１ｅ、８１ｆの内側に重なるように両者の間隔が選定されている。
【００２２】
制動機構７０は、水平方向に圧縮され反発するダンパ７１と、ダンパ７１に装着された当接部材７３とを備えている。
【００２３】
ダンパ７１は、円柱形状のダンパ本体７１ａと、ダンパ本体７１ａの端部から突出し水平方向に進退移動するダンパピン（出力軸）７１ｂとを備えている（図７参照）。ダンパ７１の本体７１ａ内には、ダンパ７１に対しこれを圧縮する向き、すなわちダンパピン７１ｂを本体７１ａ側に押し込む向きに作用する力に抗して反発力を発生する図示しないコイルばね（弾性体）と、ダンパピン７１ｂの急激な動きを緩衝する図示しないオイルダンパ（緩衝体）とが内蔵されている。
【００２４】
第２ベース部材９２には、制動機構７０を収容する収容部（ダンパ保持部）７２が形成されている。収容部７２は、水平方向に延びる円筒状の側壁に囲まれた収容空間を有している。収容部７２の第１取付部材６１と重なり合う側の側壁は、第２ベース部材９２の基部からドーム状に膨出している。収容部７２の両端部７２ａ、７２ｂは開口しており、第１取付部材６１に臨む端側の開口端部７２ａから収容空間内に制動機構７０が挿入されている。
【００２５】
収容部７２のもう一方の開口端部７２ｂはダンパ保持位置調節用キャップ７２ｅにより閉塞されている。収容部７２のキャップ７２ｅが装着される部分は他の部分よりも太くなっておりその部分の内壁には、雌ねじ部７２ｄが形成されている。一方、キャップ７２ｅの胴部外周部には雄ねじ部７２ｆが形成されており、この雄ねじ部７２ｆを収容部７２の雌ねじ部７２ｄに螺合させることにより、収容部７２の開口端部７２ｂにキャップ７２ｅが装着されている。キャップ７２ｅの外側端にはこれを閉塞する円板状の端板部７２ｇが形成されている。端板部７２ｇの外周縁部はキャップ７２ｅの胴部よりも若干外方に張り出しており、その部分に滑り止め用の凹凸を設けることにより摘み部７２ｈが形成されている。この摘み部７２ｈを指で摘んでキャップ７２ｅを回転させて、収容部７２に対するキャップ７２ｅのねじ込み量を調節することにより、制動機構７０の水平方向における保持位置を微調節できるようになっている。すなわち、収容部７２の内壁に形成された雌ねじ部７２ｄとこれに螺合しているキャップ７２ｅとによりダンパ保持位置調節機構が構成され、キャップ７２ｅのねじ込み量をより大きくすることにより、制動機構７０の保持位置を第１取付部材６１により近い位置に変位させることができ、反対に、キャップ７２ｅのねじ込み量を小さくすれば、制動機構７０の保持位置を第１取付部材６１からより遠い位置に変位させることができるようになっている。
【００２６】
第１取付部材６１には、両取付部材６１、６２相互を折戸１０を開く側に回動させて折り畳んだときに収容部７２と当接部材７３を受け入れる凹部９１ｅが形成されている。
【００２７】
当接部材７３は、ダンパ本体７１ａにダンパピン７１ｂとは反対側から被せて取り付けられた、先端部が閉塞されたキャップ状の部材である。ダンパ本体７１ａは、当接部材７３内に完全に収容されている。当接部材７３は、収容部７２内に水平方向にスライド可能に挿入され、ダンパ本体７１ａを収容した状態でこれと一体となって移動する。当接部材７３の基端部すなわちダンパピン７１ｂがある側の端部は、ダンパ保持位置調節機構を構成しているキャップ７２ｅの内部に摺動可能に挿入されている。ダンパピン７１ｂは当接部材７３の基端から突出しており、その突端がキャップ７２ｅの端板部７２ｇ内面に当節している。
【００２８】
当接部材７３は、折戸１０が閉じられる際の所定のタイミングで第１ベース部材９１の第２取付部材６２側の側縁部９１ｆに当接するように、その先端部７３ａの形状及び寸法が選定されている。そして、当接部材７３が折戸１０の閉じ際における両取付部材６１、６２相互の回動に伴って第１ベース部材９１に押圧されてダンパ本体７１ａとともにキャップ７２ｅ側に移動することにより、当接部材７３とキャップ７２ｅとの間でダンパ７１が圧縮されるようになっている。折戸１０が完全に閉じられたとき、ダンパ７１は最も圧縮された状態になる。このときダンパピン７１ｂは、当接部材７３内にほぼ完全に埋没した状態になる。
【００２９】
当接部材７３の背面側の先端近傍には一対のガイド突起７３ｃ、７３ｄが上下に張り出して形成されている。一方、第２ベース部材９２には、ガイド突起７３ｃ、７３ｄを受け入れて水平方向にスライド可能に案内するガイド溝（図示省略）が形成されている。ガイド突起７３ｃ、７３ｄがガイド溝（図示省略）に案内されることにより、当接部材７３の第２ベース部材９２に対する回動及びがたつきが防止される。
【００３０】
また、当接部材７３の前面部には小突起７３ｅが形成されている。一方、収容部７２には水平方向（当接部材７３の摺動方向）に延びる長孔７３ｉが、収容部７２の壁を貫通させて形成されている。当接部材７３の小突起７３ｅは、収容部７２の長孔７３ｉ内に位置しており、長孔７３ｉを通して収容部７２の外部から視認可能である。すなわち、この突起７３ｅの位置によって制動機構７０の保持位置を概ね確認できるようになっている。また、突起７３ｅが長孔７３ｉの先端側端部に当接することにより、当接部材７３の抜けを防止している。
【００３１】
図１１は折戸装置１の開閉時における一連の状態を示す部分斜視図、図１２は同じく部分平面図である。図１１および図１２において、（ａ）は折戸１０が全開の状態であり、この状態から折戸１０を閉める際、（ｂ）および（ｃ）の状態を経て、（ｄ）の状態すなわち折戸１０の折曲角度が略１２５度になった時点で、蝶番２１、２２、２３のキャッチ機構が作動し、その働きにより折戸１０が強制的に（ｅ）の状態すなわち全閉状態まで誘導される。その際、蝶番２１、２２、２３のキャッチ機構の作動開始後から折戸１０が全閉状態になるまでの間の所定のタイミングで、制動機構７０による制動力が効き始める。これにより、折戸１０は閉め際における両戸板１１、１２相互の急激な回動が制動されつつ、全閉状態まで静かに誘導される。
【００３２】
上記のように構成された緩衝装置６０は、折戸１０の閉じ際における制動力の働く時間及びタイミングを、使用するダンパ７１を長寸化することなく適切に設定できる。すなわちこの緩衝装置６０は、水平方向に圧縮され反発するダンパ７１を第２取付部材６２側に装備し、ダンパ７１に装着された当接部材７３が折戸１０の閉じ際における両取付部材６１、６２相互の回動に伴って第１取付部材６１の側縁部９１ｆに押圧されてダンパ本体７１ａとともに移動することによりダンパ７１が圧縮され、その反発力によって折戸１０の閉じ際における急激な回動を制動するように構成されているため、当接部材７３の形状・寸法、当接部材７３と第１取付部材６１の側縁部９１ｆとの互いの位置関係、ダンパ７１の水平方向における保持位置などを適宜選定することにより、ダンパ７１には何らの変更も加えることなく、制動力の働く時間及びタイミングを適切に設定することができる。
【００３３】
また、収容部７２へのキャップ７２ｅのねじ込み量を調節することによりダンパ７１の水平方向における保持位置を微調節できるので、緩衝装置６０を折戸１０に取り付けた後においても、制動力の働く時間及びタイミングを微調節することができる。
【００３４】
また、この緩衝装置６０は、両取付部材の取付金具として、互いに同一形状且つ同一寸法で同一金属材料からなる取付金具８０を使用しているので、形状、寸法、金属材料のいずれかが異なる取付金具を使用する場合と比較して、使用する金属部品の種類の数を削減することができる。
【００３５】
また、この緩衝装置６０の両取付部材６１、６２の形状・寸法を蝶番２１〜２３の両取付部材の形状・寸法と一致させておけば、蝶番２１〜２３を折戸１０に取り付けるための穴加工と全く同じ加工処理により緩衝装置６０用の取付穴１１ａ、１２ａを形成することができるので、折戸装置１の製造に要する工数及びコストを削減することができる。これに対し前述の従来技術では、ダンパを取り付けるための取付穴の形状・寸法が蝶番を取り付けるための取付穴の形状・寸法と異なるため、ダンパを取り付けるために蝶番用の取付穴とは異なる穴加工処理を別途実施する必要があり、工数及びコストを削減する上で妨げとなっていた。
【００３６】
また、この緩衝装置６０はそれ自体が蝶番としても機能し得るので、蝶番２１〜２３のいずれかの代わりにこの緩衝装置６０を使用することにより、使用する蝶番の数を削減できる。
【００３７】
なお、上記の例では、第１ベース部材９１および第２ベース部材９２を樹脂製の部材としたが、ベース部材９１、９２の両方又は一方を金属製の部材としてもよい。また、取付金具８０の代わりに別の材質、たとえば硬質樹脂、セラミックなどからなる共通部材を使用することも可能である。
【図面の簡単な説明】
【００３８】
【図１】本発明の緩衝装置を備えた折戸装置の背面図
【図２】図１中の緩衝装置（両取付部材が完全に開いた状態）の全体斜視図
【図３】図１中の緩衝装置（制動力が働き始める臨界状態）の全体斜視図
【図４】図１中の緩衝装置（両取付部材が互いに直角に回動した状態）の全体斜視図
【図５】（ａ）〜（ｅ）はそれぞれ本発明の緩衝装置の正面図、左側面図、右側面図、平面図、下面図
【図６】本発明の緩衝装置の背面図
【図７】図５（ａ）中のＡ−Ａ線に沿って切断した断面を示す概略断面図
【図８】本発明の緩衝装置の分解斜視図
【図９】本発明の緩衝装置の分解平面図
【図１０】本発明の緩衝装置とこれを取り付けるべく戸板に形成された取付穴とを示した斜視図
【図１１】図１に示す折戸装置の開閉時における一連の状態を示す部分斜視図
【図１２】図１に示す折戸装置の開閉時における一連の状態を示す部分平面図
【図１３】本出願人が先に提案した緩衝装置とこれを取り付けるべく戸板に形成された取付穴とを示した斜視図
【符号の説明】
【００３９】
１  折戸装置
１０  折戸
１１  戸板
１１ａ  取付穴
１２  戸板
１２ａ  取付穴
２１、２２、２３  蝶番
３０  レール
４１、４２  ランナー
５０  戸枠
６０  緩衝装置
６１  第１取付部材（他方の取付部材）
６１ｉ  凹部
６１ｆ  側縁部
６２  第２取付部材（一方の取付部材）
６３  ヒンジ部
７０  制動機構
７１  ダンパ
７１ａ  ダンパ本体
７１ｂ  ダンパピン（出力軸）
７２  収容部（ダンパ保持部）
７２ｄ  雌ねじ部
７２ｅ  キャップ
７２ｆ  雄ねじ部
７２ｈ  摘み部
７３  当接部材
８０  取付金具（共通部材）
８１ａ  金具本体
８１ｂ、８１ｃ  フランジ部
８１ｅ、８１ｆ  軸受部
９１  第１ベース部材
９１ｅ  凹部
９２  第２ベース部材
【図１】
0005336719.tif 000002
【図２】
0005336719.tif 000003
【図３】
0005336719.tif 000004
【図４】
0005336719.tif 000005
【図５】
0005336719.tif 000006
【図６】
0005336719.tif 000007
【図７】
0005336719.tif 000008
【図８】
0005336719.tif 000009
【図９】
0005336719.tif 000010
【図１０】
0005336719.tif 000011
【図１１】
0005336719.tif 000012
【図１２】
0005336719.tif 000013
【図１３】
0005336719.tif 000014